(57)【要約】【課題】導電線路に侵入する直撃雷サージを低減し、かつ、直撃雷のエネルギーを抽出・貯蔵するシステムを提供すること。【解決手段】無線装置２０１とアンテナ２０３との間の同軸ケーブル、導波管等の導電線路である伝送線路２０２に雷サージ抽出回路１０１を設置する。雷サージ抽出回路１０１で抽出した雷サージは、変成回路１０２において電圧・電流レベルや波形を電力貯蔵回路１０３の特性に合わせて変成される。変成回路１０２で変成された電力は、電力貯蔵回路１０３に貯蔵される。本発明は、磁性体を使用することにより、磁性体の中に集中した磁束を活用して効率的にエネルギーの抽出を行い、貯蔵装置の性能に合わせて、抽出したサージ波形の立ち上がり速度や電圧値を変成することができる。さらに、貯蔵装置に整流回路を設けることで、正極性、負極性のどちらの極性の雷にも対応できる。【選択図】図１
2015167437.tif 000002
【特許請求の範囲】
【請求項１】
雷サージが侵入し得る導電線路の周囲を囲む磁性体と、
前記導電線路と共に前記磁性体に周囲を囲まれた導電線と、
前記導電線が入力端に接続された遅延回路と、
前記遅延回路の出力端に１次側が接続されたトランス部と、
前記トランス部の２次側に入力端が接続された整流回路部と、
前記整流回路の出力端に接続された電力貯蔵部と、
を備えたことを特徴とする雷サージ侵入低減ならびにエネルギー貯蔵システム。
【請求項２】
前記遅延回路は、前記導電線を流れる雷サージ電流のサージ波形の立ち上がりを遅らせる回路であることを特徴とする請求項１に記載の雷サージ侵入低減ならびにエネルギー貯蔵システム。
【請求項３】
前記トランス部は、直列接続された複数のトランスからなり、
前記整流回路部は、前記複数のトランスのそれぞれに接続された複数の整流回路からなり、
前記電力貯蔵部は、前記複数の整流回路のそれぞれに接続された複数の電力貯蔵装置からなることを特徴とする請求項１又は２に記載の雷サージ侵入低減ならびにエネルギー貯蔵システム。
【請求項４】
前記トランス部は、直列接続された複数のトランスからなり、
前記整流回路部は、前記複数のトランスのそれぞれに接続された複数の整流回路からなり、
前記電力貯蔵部は、前記複数の整流回路に並列接続された１つの電力貯蔵装置からなることを特徴とする請求項１又は２に記載の雷サージ侵入低減ならびにエネルギー貯蔵システム。
【請求項５】
前記整流回路部は、ダイオードを用いた全波整流回路を含むことを特徴とする請求項１乃至４のいずれかの雷サージ侵入低減ならびにエネルギー貯蔵システム。
【請求項６】
前記電力貯蔵部は、フィルムコンデンサ、電解コンデンサ、電気二重層キャパシタ、リチウムイオン・キャパシタおよび超電導エネルギー貯蔵コイル（SMES）の少なくともいずれか１つを含むことを特徴とする請求項１乃至５のいずれかの雷サージ侵入低減ならびにエネルギー貯蔵システム。
【発明の詳細な説明】
【技術分野】
【０００１】
本発明は、同軸ケーブルや導波管を経由して無線装置に侵入する雷サージの侵入低減と雷サージによる蓄電を行う雷サージ侵入低減ならびにエネルギー貯蔵システムに関する。
【背景技術】
【０００２】
通信センタビルや無線中継所の鉄塔に直撃雷を受けると、直撃雷の一部が同軸ケーブルや導波管を経由して無線装置に侵入し、大地に放流する。その際、無線装置と通信線の接続がある装置および無線装置に給電する整流装置等が破損することがある。このような導波管から各装置に進入する雷サージ電流に起因する被害に対しては、磁性体や金属導体、絶縁電線等を導波管に装着することにより、導波管を通る雷サージ電流を低減させる方法が考案されている（特許文献１参照）。
【０００３】
一方、昨今の社会情勢として、地球温暖化ならびに電力不足の問題を解消するために、自然エネルギーを活用した発電・貯蔵システムの開発が求められている。雷も１回の放電で平均約９００ＧＷもの電力を発生するとされており、この雷電力を蓄電して有効利用しようとする雷充電システムも考案されている（特許文献２参照）。
【先行技術文献】
【特許文献】
【０００４】
【特許文献１】特許２９２６０００号公報
【特許文献２】特開２００８−１１７６４０号公報
【発明の概要】
【発明が解決しようとする課題】
【０００５】
しかしながら、従来技術では、雷サージの侵入対策においては、雷サージを蓄電装置に充電できる形で抽出・貯蔵することは想定されておらず、雷充電システムにおいては、同軸ケーブルや導波管を経由して侵入する雷サージの抽出・貯蔵には対応していないという課題がある。すなわち、従来技術では、雷サージの侵入対策とエネルギー貯蔵は別個の構成を必要とするという課題がある。
【０００６】
本発明は、このような課題に鑑みてなされたもので、その目的とするところは、導電線路に侵入する直撃雷サージを低減し、かつ、直撃雷のエネルギーを抽出・貯蔵するシステムを提供することにある。
【課題を解決するための手段】
【０００７】
上記の課題を解決するために、本発明は、雷サージ侵入低減ならびにエネルギー貯蔵システムであって、雷サージが侵入し得る導電線路の周囲を囲む磁性体と、前記導電線路と共に前記磁性体に周囲を囲まれた導電線と、前記導電線が入力端に接続された遅延回路と、前記遅延回路の出力端に１次側が接続されたトランス部と、前記トランス部の２次側に入力端が接続された整流回路部と、前記整流回路の出力端に接続された電力貯蔵部と、を備えたことを特徴とする。
【０００８】
請求項２に記載の発明は、請求項１に記載の雷サージ侵入低減ならびにエネルギー貯蔵システムにおいて、前記遅延回路は、前記導電線を流れる雷サージ電流のサージ波形の立ち上がりを遅らせる回路であることを特徴とする。
【０００９】
請求項３に記載の発明は、請求項１又は２に記載の雷サージ侵入低減ならびにエネルギー貯蔵システムにおいて、前記トランス部は、直列接続された複数のトランスからなり、前記整流回路部は、前記複数のトランスのそれぞれに接続された複数の整流回路からなり、前記電力貯蔵部は、前記複数の整流回路のそれぞれに接続された複数の電力貯蔵装置からなることを特徴とする。
【００１０】
請求項４に記載の発明は、請求項１又は２に記載の雷サージ侵入低減ならびにエネルギー貯蔵システムにおいて、前記トランス部は、直列接続された複数のトランスからなり、前記整流回路部は、前記複数のトランスのそれぞれに接続された複数の整流回路からなり、前記電力貯蔵部は、前記複数の整流回路に並列接続された１つの電力貯蔵装置からなることを特徴とする。
【００１１】
請求項５に記載の発明は、請求項１乃至４のいずれかの雷サージ侵入低減ならびにエネルギー貯蔵システムにおいて、前記整流回路部は、ダイオードを用いた全波整流回路を含むことを特徴とする。
【００１２】
請求項６に記載の発明は、請求項１乃至５のいずれかの雷サージ侵入低減ならびにエネルギー貯蔵システムにおいて、前記電力貯蔵部は、フィルムコンデンサ、電解コンデンサ、電気二重層キャパシタ、リチウムイオン・キャパシタおよび超電導エネルギー貯蔵コイル（SMES）の少なくともいずれか１つを含むことを特徴とする。
【発明の効果】
【００１３】
本発明は、通信センタビルや無線中継所の鉄塔が直撃雷を受けた際、その一部が同軸ケーブルや導波管を経由して無線装置等に侵入するのを低減することができるとともに、雷サージのエネルギーを抽出・貯蔵することができる。
【図面の簡単な説明】
【００１４】
【図１】本発明の一実施形態に係る雷サージ侵入低減ならびにエネルギー貯蔵システムの構成を示す図である。
【図２】本発明の実施形態１に係る雷サージ侵入低減ならびにエネルギー貯蔵システムの詳細な構成を示す図である。
【図３】本発明の実施形態２に係る雷サージ侵入低減ならびにエネルギー貯蔵システムの詳細な構成を示す図である。
【図４】本発明の実施形態３に係る雷サージ侵入低減ならびにエネルギー貯蔵システムの詳細な構成を示す図である。
【発明を実施するための形態】
【００１５】
以下、本発明の実施の形態について、詳細に説明する。
【００１６】
図１に、本発明の一実施形態に係る雷サージ侵入低減ならびにエネルギー貯蔵システムの構成を示す。無線装置２０１とアンテナ２０３との間の同軸ケーブル、導波管等の導電線路である伝送線路２０２に雷サージ抽出回路１０１を設置する。雷サージ抽出回路１０１で抽出した雷サージは、変成回路１０２において電圧・電流レベルや波形を電力貯蔵回路１０３の特性に合わせて変成される。変成回路１０２で変成された電力は、電力貯蔵回路１０３に貯蔵される。
【００１７】
本発明では、設備への雷サージ侵入対策と同時にエネルギーの貯蔵を行うことができる。本発明は、磁性体を使用することにより、磁性体の中に集中した磁束を活用して効率的にエネルギーの抽出を行い、貯蔵装置の性能に合わせて、抽出したサージ波形の立ち上がり速度や電圧値を変成することができる。さらに、貯蔵装置に整流回路を設けることで、正極性、負極性のどちらの極性の雷にも対応できる。
【００１８】
（実施形態１）
図２に、本発明の実施形態１に係る雷サージ侵入低減ならびにエネルギー貯蔵システムの詳細な構成を示す。雷サージ抽出回路１０１は、伝送線路２０２の周囲を囲む環状の磁性体１０４と、伝送線路２０２と共に磁性体１０４に周囲を囲まれた導電線１０５からなる。導電線１０５には、伝送線路２０２に電流が流れると相互誘導によりに電流が流れる。
【００１９】
変成回路１０２は、導電線１０５が入力端に接続された遅延回路１０６と、遅延回路１０６の出力端が１次側に接続されトランス１０７とからなる。遅延回路１０６は、電力貯蔵回路１０３の性能との整合を図るため、抽出したサージ波形の立ち上がりを遅らせる回路であり、例えばＬＣ回路とすることができる。トランス１０７の１次側と２次側の巻数比は、電力貯蔵回路１０３の特性に合わせて適宜設定される。
【００２０】
電力貯蔵回路１０３は、トランス１０７の２次側に接続された整流回路１０８と、整流回路１０８から出力される電力を貯蔵する電力貯蔵部１０９とからなる。直撃雷には負極性と正極性があり、極性によって雷サージ電流の流れる向きも異なる。整流回路１０８を、例えばダイオードを用いた全波整流回路とすることで、直撃雷の極性に関わらず電力を貯蔵することができる。電力貯蔵部１０９には、例えば、フィルムコンデンサ、電解コンデンサ、電気二重層キャパシタ、リチウムイオン・キャパシタ、超電導エネルギー貯蔵コイル（ＳＭＥＳ）等を用いることができる。
【００２１】
（実施形態２）
図３に、本発明の実施形態２に係る雷サージ侵入低減ならびにエネルギー貯蔵システムの詳細な構成を示す。実施形態１に対して実施形態２では、変成回路１０２は、複数のトランス１０７−１〜１０７−ｎを備え、電力貯蔵回路１０３は、複数の整流回路１０８−１〜１０８−ｎと複数の電力貯蔵部１０９−１〜１０９−ｎを備えている。
【００２２】
実施形態１では、電圧低減をトランス１０７の巻数比のみで行う構成であるが、実施形態２では、巻数比に加え、複数のトランスの分圧によって電圧低減を行うことができる。
【００２３】
（実施形態３）
図４に、本発明の実施形態３に係る雷サージ侵入低減ならびにエネルギー貯蔵システムの詳細な構成を示す。実施形態２に対して実施形態３では、複数の整流回路１０８−１〜１０８−ｎから出力される電力を１つの電力貯蔵部１０９に貯蔵する構成としている。
【符号の説明】
【００２４】
１０１  雷サージ抽出回路
１０２  変成回路
１０３  電力貯蔵回路
１０４  磁性体
１０５  導電線
１０６  遅延回路
１０７  トランス
１０８  整流回路
１０９  電力貯蔵部
【図１】
2015167437.tif 000003
【図２】
2015167437.tif 000004
【図３】
2015167437.tif 000005
【図４】
2015167437.tif 000006